(57)【要約】【解決手段】通信システムにおいて、方法および付随の装置は受信器（１００）内の利用可能な指（１１０Ａ−Ｎ）の数を決定する。コントローラ（１２１）は利用可能な指（１１０）の決定された数に基づいてしきい値を調節する。調節されたしきい値は、パイロット信号サーチしきい値、ロック／アンロックしきい値、および結合／非結合しきい値の１つまたはいずれかの組合せであり得る。利用可能な指（１１０）の数はしきい値が調節された後変更可能である。【選択図】図１
2005503683.tif 000002
【特許請求の範囲】
【請求項１】
通信システムにおいて、下記を具備する方法：
前記通信システムの受信器内の利用可能な指の数を決定する；
前記利用可能な指の数に基づいてしきい値を調節する。
【請求項２】
前記しきい値はパイロット信号サーチウインドウしきい値である、請求項１に記載された方法。
【請求項３】
さらに下記を具備する請求項２に記載された方法：
信号を受信する；
前記利用可能な指の数から少なくとも１つの指を前記受信した信号に割当てる；
前記パイロット信号サーチウインドウしきい値の前記調節は多かれ少なかれ指を前記受信した信号に割当てることを可能にする。
【請求項４】
前記パイロット信号サーチウインドウしきい値を調節後、多かれ少なかれ、指を前記受信した信号に割りあてることをさらに具備する、請求項３に記載の方法。
【請求項５】
下記をさらに具備する請求項２記載の方法：
パイロット信号を受信する；
サーチウインドウ内で、前記受信したパイロット信号を相関させる；
前記受信したパイロット信号の相関エネルギーを前記調節されたサーチウインドウしきい値と比較する。
【請求項６】
前記比較において、前記受信したパイロット信号が前記調節されたサーチウインドウしきい値を満足するかどうかに基づいて受信した信号の処理を受け入れるかまたは否定することをさらに具備する請求項５に記載の方法。
【請求項７】
前記受信した信号は、前記受信したパイロット信号と関連している請求項６に記載の方法。
【請求項８】
前記しきい値はロック／アンロックしきい値である請求項１に記載の方法。
【請求項９】
さらに下記を具備する、請求項８に記載の方法：
信号を受信する；
前記利用可能な指の数から少なくとも１つの指を前記受信した信号に割当てる；
前記ロック／アンロックしきい値の前記調節は多かれ少なかれ前記最も少なく割当てられた指をロック状態からアンロック状態に、またはアンロック状態からロック状態に切換可能にする。
【請求項１０】
少なくとも前記最も少なく割当てられた指を前記ロック状態から前記アンロック状態にまたは前記アンロック状態から前記ロック状態に切り替えることをさらに具備する、請求項９記載の方法。
【請求項１１】
前記決定は、ロック／アンロック状態にある指の数を決定することを含み、前記利用可能な指の前記数の前記決定は前記ロック／アンロック状態にある指の前記数に基づく、請求項１に記載の方法。
【請求項１２】
前記決定は、ロック／アンロック状態にある指の数のロック／アンロック状態の期間を決定することを含み、利用可能な指の前記数の前記決定は、前記ロック／アンロック状態にある指の前記数のロック／アンロック状態の期間に基づく、請求項１に記載の方法。
【請求項１３】
前記しきい値は結合／非結合しきい値である、請求項１に記載の方法。
【請求項１４】
さらに下記を具備する、請求項１３に記載の方法：
信号を受信する；
少なくとも１つの指を前記受信した信号に割当てる；
前記結合／非結合しきい値の前記調節は、多かれ少なかれ前記最も少なく割当てられた指を結合状態から非結合状態にまたは前記非結合状態から前記結合状態に切り替えることを可能にする、請求項１３に記載の方法。
【請求項１５】
前記少なくとも最も少なく割当てられてた指を前記結合状態から前記非結合状態にまたは前記非結合状態から前記結合状態に切り替えることをさらに具備する、請求項１４に記載の方法。
【請求項１６】
前記決定は、結合／非結合状態にある指の数を決定することを含み、
利用可能な指の前記数の前記決定は前記結合／非結合状態にある指の前記数に基づく、請求項１に記載の方法。
【請求項１７】
前記決定は、結合／非結合状態にある指の数の結合／非結合状態の期間を決定することを含み、利用可能な前記指の前記決定は、前記結合／非結合状態にある指の前記数の結合／非結合状態の前記期間に基づく、請求項１に記載の方法。
【請求項１８】
前記決定は、割当て／非割り当て状態にある指の数を決定することを含み、利用可能な指の前記数の前記決定は前記割当て／非割り当て状態にある指の前記数に基づく、請求項１に記載の方法。
【請求項１９】
さらに下記を具備する請求項１に記載の方法：
前記通信システム内の基地局のアクティブセット、候補セット、および隣接セットの少なくとも１つを決定し、各セットは、前記通信システム内の移動局と通信するための基地局のセットを識別し、前記アクティブセットは、前記移動局と通信するために割当てられた基地局のセットを識別し、前記候補セットは、前記移動局において、十分なパイロット信号強度を有し、前記移動局と通信するための基地局のセットを識別し、前記アクティブセットには前記候補セットが除外され、前記隣接セットは前記移動局と可能な通信のための基地局のセットを識別し、前記隣接セットには前記アクティブセットおよび前記候補セットが除外され；
利用可能な指の前記数に基づいて前記しきい値の前記調節に基づいて基地局の前記アクティブセット、候補セットおよび隣接セットの中で一方のセットから他方のセットに少なくとも１つの基地局を移動する。
【請求項２０】
前記しきい値は少なくとも加算しきい値と降下しきい値の少なくとも１つである、請求項１に記載の方法。
【請求項２１】
前記加算しきい値および前記降下しきい値の少なくとも１つが、前記通信システム内の基地局のアクティブセット、候補セット、および隣接セットの少なくとも１つに関連し、各セットは、前記通信システム内の移動局と通信するための基地局のセットを識別し、前記アクティブセットは、前記移動局と通信するために割当てられた基地局のセットを識別し、前記候補セットは、前記移動局において十分なパイロット信号強度を有し、前記移動局と通信するための基地局のセットを識別し、前記アクティブセットには前記候補セットが除外され、前記隣接セットは、前記移動局との可能な通信のための基地局のセットを識別し、前記隣接セットには前記アクティブセットおよび前記候補セットが除外される、請求項２０に記載の方法。
【請求項２２】
前記加算しきい値および前記降下しきい値の少なくとも１つはロック／アンロック状態にある指の数を決定することに関連する、請求項２０に記載の方法。
【請求項２３】
前記加算しきい値および前記降下しきい値の少なくとも１つは結合／非結合状態にある多数の指を決定することに関連する、請求項２０に記載の方法。
【請求項２４】
前記加算しきい値および前記降下しきい値の少なくとも１つはサーチウインドウ内のパイロット信号の動作に関連する、請求項２０に記載の方法。
【請求項２５】
下記を具備する通信システム内の装置：
前記通信システム内の利用可能な指の数を決定するために構成されたコントローラ、前記コントローラは、利用可能な指の前記数に基づいてしきい値を調節するようにさらに構成される。
【請求項２６】
前記しきい値は、パイロット信号サーチウインドウしきい値である、請求項２５に記載の装置。
【請求項２７】
下記をさらに具備する請求項２６に記載された装置：
パイロット信号をサーチするために構成され、さらに、前記サーチされたパイロット信号の信号エネルギーを前記調節されたパイロット信号サーチウインドウしきい値と比較するために構成されたパイロット信号サーチャー。
【請求項２８】
前記しきい値はロック／アンロックしきい値である、請求項２５に記載の装置。
【請求項２９】
下記をさらに具備する請求項２８に記載の装置：
少なくとも１つの受信した信号と相関させるために構成された少なくとも１つの指リソース；
前記少なくとも１つの指の状態はロック状態またはアンロック状態であり、前記少なくとも１つの指は、前記受信した信号の信号エネルギーが前記調節されたロック／アンロックしきい値を満足するかどうかに基づいて、前記ロック状態から前記アンロック状態にまたは前記アンロック状態から前記ロック状態に切り替わるようにさらに構成される。
【請求項３０】
前記しきい値は結合／非結合しきい値である、請求項２５に記載の装置。
【請求項３１】
さらに下記を具備する請求項３０に記載の装置：
少なくとも１つの受信した信号と相関させるために構成された少なくとも１つの指リソース；
前記少なくとも１つの指の状態は結合状態または非結合状態であり、前記少なくとも１つの指は、前記受信した信号の信号エネルギーが前記調節された結合／非結合しきい値を満足するかどうかに基づいて前記結合状態から前記非結合状態または前記非結合状態から前記結合状態に切り替えるようにさらに構成される。
【請求項３２】
前記コントローラは、前記通信システム内のアクティブセット、候補セット、および隣接セットの少なくとも１つを決定するようにさらに構成され、各セットは、前記通信システム内の移動局と通信するために基地局のセットを識別し、前記アクティブセットは、前記移動局と通信するために割当てられた基地局のセットを識別し、前記候補セットは前記移動局において十分なパイロット信号強度を有し、前記移動局と通信するための基地局のセットを識別し、前記アクティブセットには前記候補セットが除外され、前記隣接セットは前記移動局と可能な通信をするために基地局のセットを識別し、前記隣接セットには前記アクティブセットおよび前記候補セットが除外され、
前記コントローラは、利用可能な指の前記数に基づいて前記しきい値の前記調節に基づいて基地局の前記アクティブセット、候補セット、および隣接セットの中で少なくとも１つの基地局を一方のセットから他方のセットに移動するようにさらに構成される。
【請求項３３】
通信システムにおいて、下記を具備する方法：
前記通信システムの受信器内の利用可能な指の数を決定する；
利用可能な指の前記数に基づいてパイロット信号サーチウインドウしきい値を調節する；
サーチウインドウ内の受信したパイロット信号と相関させる；
前記受信したパイロット信号の相関エネルギーを前記調節されたサーチウインドウしきい値と比較する；
前記パイロット信号サーチウインドウしきい値の前記調節の後、利用可能な指の前記数から、受信した信号に指の割当てられた数を決定する。
【請求項３４】
下記を具備する通信システム内の装置：
前記通信システム内の利用可能な指の数を決定するように構成されたコントローラ、前記コントローラは、さらに、利用可能な指の前記数に基づいてパイロット信号サーチウインドウしきい値を調節するように構成される；
パイロット信号をサーチするように構成され、さらに前記サーチされたパイロット信号の信号エネルギーを前記調節されたパイロット信号サーチウインドウしきい値と比較するように構成されるパイロット信号サーチャー。
【発明の詳細な説明】
【技術分野】
【０００１】
開示した実施の形態は通信の分野に関し、特に符号分割多重アクセス（ＣＤＭＡ）システムにおいて指リソースを管理するための方法および装置に関する。
【背景技術】
【０００２】
ＣＤＭＡ技術に従う無線通信のためのシステムは、米電子通信工業会（ＴＩＡ）により発行された種々の規格に開示され記載されてきた。そのような規格はいくつかある中で、ＴＩＡ／ＥＩＡ／ＩＳ−２０００、ＴＩＡ／ＥＩＡ／９５Ａ／Ｂ、およびＷＣＤＭＡとして一般に知られている。一組の文献に具現化された「第三世代パートナーシッププロジェクト」（３ＧＰＰ）はＷＣＤＭＡ規格として知られるドキュメント番号３Ｇ  ＴＳ  ２５．２１１、３Ｇ  ＴＳ  ２５．２１２、３Ｇ  ＴＳ  ２５．２１３、および３Ｇ  ＴＳ  ２５．２１４を含む；「デュアルモード広帯域スペクトル拡散セルラシステムのためのＴＩＡ／ＥＩＡ／ＩＳ−９５遠隔局−基地局互換性規格」はＩＳ−９５規格として知られている；「ｃｄｍａ２０００スペクトル拡散システムのためのＴＲ−４５．５物理層規格」はＣＤＭＡ−２０００規格として知られている。これらは参照することによりここに組み込まれる。
【０００３】
典型的にＣＤＭＡ通信システムの受信器はレーキ(RAKE)受信器動作に従って動作する。レーキ受信器とそれらの動作は良く知られている。そのような受信器は通常、１つ以上の指を各受信した信号に割当てることにより受信した信号を復調する。指を割当てる前に、各信号の相関エネルギーがしきい値と比較される。相関エネルギーがしきい値を満足するとき、指を信号に割当てることができる。受信器はソースから送信された信号のマルチパス信号を受信することができる。受信器は指を各マルチパス信号に割当てることができる。いくつかのマルチパス信号に対応して割当てられたいくつかの指からの結果は復調プロセスにおいて結合され、データシンボルを生成する。信号相関エネルギーがしきい値を下回って下がると、指は非割り当てをすることができる。この場合、信号の相関エネルギーはおそらく弱すぎて、独立してあるいは他の信号と一緒になってなんらかの値を復調プロセスに追加することはできない。
【０００４】
受信した信号に対する割当ておよび非割り当ては実質的な処理および実質的な処理遅延を必要とする。相関エネルギーが復調プロセス中のある期間引き続き適切であり続けることを保証する前に受信した信号に指を割当てることは望ましくない。さらに、相関エネルギーが復調プロセス中のある期間引き続き不適切であり続けることを保証する前に指に非割り当てを行なうことは望ましくない。他の状況において、ほとんどのまたはすべての指リソースを割当てることは、さらなる信号を復調するために受信器容量を制限するかもしれない。さらに、１つ以上の指が恐らく、性能の復調における実質的劣化なしに信号を処理することで割り当てからはずすことができる。
【０００５】
この目的並びに他の目的を達成するために、通信システム受信器において、指リソースを管理する必要性がある。
【発明の開示】
【課題を解決するための手段】
【０００６】
通信システムにおいて、方法および付随の装置は指リソースの効率的な管理を提供する。コントローラは、受信器内に多数の利用可能な指を決定する。コントローラは、決定された数の利用可能な指に基づいてしきい値を調節することができる。調節されたしきい値は、パイロット信号サーチしきい値、ロック／アンロックしきい値、および結合および非結合しきい値の１つまたはいずれかの組合せであり得る。利用可能な指の数はしきい値を調節後変えることができ、それによりしきい値を調節することにより利用可能な指の数の管理が可能となる。
【発明を実施するための最良の形態】
【０００７】
概説するならば、新規で改良された方法および付随の装置は符号分割多重アクセス通信システムにおける指リソースの効率的な管理を提供する。ここに記載された例示実施の形態はデジタル通信システムとの関連で記載される。この関連内での使用は利点があるけれども、この発明の異なる実施の形態は、異なる環境または構成に組み込むことができる。一般にここに記載される種々のシステムはソフトウエア制御プロセッサ、集積回路、またはディスクリートロジックを用いて形成することができる。アプリケーションの全体に渡って参照されるかもしれないデータ、命令、コマンド、情報、信号、記号、およびチップは、電圧、電流、電磁波、磁界、磁性粒子、光学界または光学粒子またはそれらの組合せにより表すことができる。さらに、各ブロック図に示されるブロックはハードウエアまたは方法ステップを表すことができる。
【０００８】
種々の実施の形態に従って、多数の利用可能な指が通信システムの受信器内で決定される。指の動作に関連するしきい値は利用可能な指の数に基づいて調節可能である。しきい値は一実施の形態に従うパイロット信号サーチウインドウしきい値であり得る。初めに、信号は受信器により受信することができる。コントローラは利用可能な指の数から少なくとも１つの指を受信した信号に割当てる。パイロット信号サーチウインドウしきい値を調節することにより、受信した信号には多かれ少なかれ利用可能な指を割当てることができる。一実施の形態に従って、パイロット信号サーチウインドウしきい値が調節された後で多かれ少なかれ指を割当てることができる。
【０００９】
図１を参照すると、通信システム受信器１００のブロック図が種々の実施の形態に従って示される。受信器１００は種々の実施の形態に従って受信した信号を処理するために構成可能である。無線周波数信号はアンテナおよびフロントエンドアセンブリ１０１を介して受信される。受信された信号は、無線周波数からベースバンド周波数または復調のための適当な周波数に変換される。受信された信号を復調するために、指１１０Ａ−Ｎからの少なくとも１つの指が相関プロセスのために受信された信号に割当てられる。２以上の指１１０Ａ−Ｎが受信された信号に割当てられると、各割当てられた指１１０Ａ−Ｎは、その相関エネルギーを結合器１１１に経路選択する。結合器１１１は割当てられた指の各々からデータシンボルの相関エネルギーを結合する。結合された結果は、デインターリービング動作のためにデインターリーバー１１２に渡される。デコーダ１１３はデインターリーブされたデータシンボルを受信し、復調プロセスを完了するために受信されたデータシンボルに復号動作を実行する。
【００１０】
受信器は、種々の実施の形態に従って、基地局または携帯電話を含む遠隔装置のようないずれかの装置において動作するために組み込むことができる。動作中、受信器１００は信号をサーチすることができる。受信器１００が基地局に組み込まれるとき、受信器１００は携帯電話のようなソースからの信号をサーチする。同様に、受信器１００が携帯電話に組み込まれるとき、受信器１００は異なる基地局のようなソースからの信号をサーチする。典型的に、ＣＤＭＡ標準に従って、受信器１００は異なるソースから送信されたパイロット信号の検出をサーチする。そういうものとして、サーチャー１２０は連続的にあるいは周期的にパイロット信号をサーチする。パイロット信号が検出されると、その情報はコントローラ１２１に通信される。すべての接続を示していないが、コントローラ１２１は通信可能に異なる動作ブロックに接続される。コントローラ１２１は、サーチャー１２０から受信した情報に基づいて、受信した信号を復調するために、指１１０Ａ−Ｎの少なくとも１つを割当てる。
【００１１】
図２を参照すると、サーチャー１２０のブロック図２００は種々の実施の形態に従って示される。各パイロット信号は、ＣＤＭＡ標準に従って送信ソース（図示せず）において拡散される。そういうものとして、受信されたパイロット信号は逆拡散器２０１のＰＮ逆拡散動作を通過する。受信器１００は異なる送信ソースにより使用されるＰＮ符号についての情報を通常有する。この情報は逆拡散動作において使用することができる。さらに、各パイロット信号はまた、あらかじめ定義されたウオルシュ関数に従って、送信ソースにおいて、ウオルシュカバー(Walsh covered)される。それゆえ、逆拡散器２０１は逆拡散された信号をウオルシュデカバーエレメント２０２に渡す。ウオルシュデカバーされた結果はフィルタ２０３を通過する。フィルタ２０３はアキュムレータ２０４として動作することができる。蓄積プロセスは有限の蓄積ウインドウを持つことができる。フィルタ２０３の出力において蓄積されたエネルギーは比較器２０４を通過する。蓄積されたエネルギーはしきい値と比較される。このしきい値はパイロット信号サーチウインドウしきい値であり得る。蓄積されたエネルギーがパイロット信号サーチウインドウしきい値を満足するなら、コントローラ１２１は同じソースから受信した信号を復調するために、指１１０Ａ−Ｎの少なくとも１つの指を割当てる。蓄積されたエネルギーがパイロット信号サーチウインドウしきい値を失敗するなら、サーチャー１２０他のパイロット信号をサーチし続ける。サーチャー１２０は複数のパイロット信号をサーチすることができる。
【００１２】
パイロット信号サーチウインドウしきい値は通常あらかじめ決められている。パイロット信号サーチウインドウしきい値のレベルは関連する受信信号の復調の成功を保証するように選択される。しきい値が低い相関エネルギーレベルで選択されるなら、１つの１１０Ａ−Ｎは適切な誤差確率で復調することができない受信信号に割当てられる可能性がある。さらに、しきい値が高い相関エネルギーレベルで選択されるなら、１つの指１１０Ａ−Ｎは適切な誤差確率で復調できた受信信号に割当てられない可能性がある。
【００１３】
種々の実施の形態に従って、指リソースは、利用可能な指の数を決定し、指の利用可能な数に基づいてしきい値を調節することによりさらに効率的に管理することができる。例えば、受信器が高い数の利用可能な指を有するなら、さらに多くの指が受信された信号に割当てられるようにしきい値を下げることが出来る。この場合、より多くの指が信号に割当てられるので、その結果生じる結合されたエネルギーはより高いレベルになり得、従って適切な復調誤差レートになる。他の例において、受信器が低い数の利用可能な指を有しているなら、より少ない指が受信された信号に割当てられるようにしきい値が引き上げられる。この場合、残りの割当てられなかった指は他の受信された信号のために予約される。このようにして、受信器は複数の受信された信号に応答することができる。
【００１４】
コントローラを介して受信器は、受信された信号の処理を受け入れまたは否定する。しきい値が調節された後、受信器は新しいパイロット信号を受信してもよい。受信されたパイロット信号はサーチウインドウ内で相関される。一実施の形態に従って、受信したパイロット信号の相関エネルギーは調節されたサーチウインドウしきい値と比較される。一実施の形態に従って、受信した信号の受け入れまたは否定は、受信したパイロット信号エネルギーのレベルと調節されたしきい値との比較に基づいても良い。一実施の形態に従って、受け入れたまたは否定した受信信号は新しく受信したパイロット信号と関連するようにしてもよい。この関連は共通の送信ソースを持つことに基づいてもよい。
【００１５】
図３を参照すると、指１１０のブロック図３００が種々の実施の形態に従って示される。指１１０が受信した信号に割当てられた後、受信した信号と並列に関連したパイロット信号を処理し、受信した信号を復調するようにしてもよい。受信した信号と関連する受信したパイロット信号はＣＤＭＡ標準に従って（図示されない）送信ソースにおいて、拡散するようにしてもよい。それゆえ、受信した信号と関連する受信したパイロット信号は逆拡散器３０１内のＰＮ逆拡散動作を介して通過するようにしてもよい。受信した信号はさらに、短いＰＮ符号として一般に知られる他のＰＮ符号に従って拡散するようにしてもよい。従って、受信した信号は逆拡散器３０２において、逆拡散するようにしてもよい。受信器１００は通常、異なる送信ソースにより使用されるＰＮ符号についての情報を有する。この情報は、逆拡散プロセスにおいて使用してもよい。さらに受信した信号とパイロット信号は対応するあらかじめ定義されたウオルシュ関数に従って送信ソースにおいてウオルシュカバーしてもよい。それゆえ、逆拡散器３０１は逆拡散されたパイロット信号をウオルシュカバー３０３に渡し、逆拡散器３０２は逆拡散されたパイロット信号をウオルシュデカバー３０４に渡し、そして逆拡散器３０２は逆拡散された受信信号をウオルシュデカバー３０４に渡す。パイロット信号のウオルシュデカバーされた結果はフィルタ３０６を通過する。受信した信号のウオルシュデカバーされた結果はフィルタ３０５を通過する。フィルタ３０５と３０６はアキュムレータとして動作してもよい。蓄積は有限の蓄積ウインドウを持つようにしても良い。フィルタ３０５および３０６からの蓄積されたエネルギーは乗算器３０７を通過する。乗算器３０７の演算はドット積演算に従うようにしても良い。他の指が受信した信号に割当てられるなら、乗算器３０７からの結果は、他の割当てられた指からの結果とともに結合するために結合器１１１を通過する。各指の動作において、使用されるタイミングはマルチパス信号に依存して異ならせても良い。
【００１６】
受信した信号の復調プロセスに割当てられた１つ以上の指は誤りのある結果を形成するタイミングに従って動作していてもよい。そういうものとして、そのような指からの結果が使用され他の指からの結果と結合されるとき、復調プロセスは劣化される。そのような問題を防止するために、相関するパイロット信号を処理するとき、２つのインジケータも形成される。最初のインジケータはロック／アンロックインジケータである。第２のインジケータは結合／非結合インジケータである。
【００１７】
ロック／アンロックインジケータは、処理される関連づけられたパイロット信号が適切なエネルギーを供給するかどうかを示す。フィルタ３５０におけるエネルギーのいくらかの蓄積の後、パイロット信号エネルギーは比較器３５１において、ロック／アンロックしきい値と比較される。アンロック表示が形成されるなら、この指からの結果は結合器１１１における結合処理において無視される。パイロット信号はロック状態であってもよいが、形成されるエネルギーは他の指との結合動作に対して不適切かもしれない。フィルタ３６０におけるエネルギーのいくらかの蓄積の後で、パイロット信号エネルギーは比較器３６１において、結合／非結合しきい値と比較される。結合表示が形成されるなら、この指からの結果は他の指からの結果と結合される。
【００１８】
図４を参照すると、種々の実施の形態に従って指のステータスを決定するためのフローチャート４００が示される。フローチャート４００は、指の利用可能性を決定するために使用してもよい。ステップ４０１において、割当てられた指および割当てられない指の数が決定される。割当てられない指の数は、利用可能な指の数に含めても良い。割当てられた指はロック状態またはアンロック状態にあってよい。ステップ４０２において、ロック状態およびアンロック状態にある割当てられた指の数が決定される。割当てられたアンロック指からの結果は復調プロセスに含まれないので、割当てられたアンロック指の数は利用可能な指の数に追加してもよい。ロック状態にある割当てられた指は結合状態または非結合状態にあってよい。ステップ４０３において、結合状態および非結合状態にある指の数が決定される。非結合状態にある指は復調プロセスに含まれないので、非結合指の数は利用可能な指の数に追加してもよい。種々の実施の形態に従って、利用可能な指の合計数は、（図３に示す）ブロック３６１における結合／非結合しきい値、（図３に示す）ブロック３５１におけるロック／アンロックしきい値またはその両方を調節する結果として変更してもよい。
【００１９】
信号が受信された後、少なくとも１つの指が受信された信号に割当てられる。ロック／アンロックしきい値を調節することにより、多かれ少なかれ、指がロック状態からアンロック状態に、またはアンロック状態からロック状態に切り替わるようにしてもよい。例えば、ロック／アンロックしきい値が引き上げられるなら、ロック状態にある指は、アンロック状態に切替えても良い。何故なら、蓄積されたエネルギーは新しく引き上げられたロック／アンロックしきい値を満足しないかもしれないからである。そういうものとして、ロック／アンロックインジケータはロック状態からアンロック状態に切り替わる。アンロック状態に切り替わる指は、新しい割当てに対して利用可能な指に追加してもよい。従って、調節は、利用可能な指の合計数を変化させることができる。いくつかの指はある期間アンロック状態にあってもよい。一実施の形態に従って、長期間アンロック状態にあった指は、解放のための第１候補として選択するようにしてもよい。指が解放されると、利用可能な指の合計数に追加するようにしてもよい。
【００２０】
さらに、結合／非結合しきい値を調節することにより、多かれ少なかれ指は、結合状態から非結合状態へまたは非結合状態から結合状態へ切り替わるようにしても良い。例えば、結合／非結合しきい値が引き上げられるなら、結合状態にある指は、非結合状態に切替えても良い。何故なら、蓄積されたエネルギーが新しく引き上げられた結合／非結合しきい値を満足しないかもしれないからである。そういうものとして、結合／非結合インジケータは結合状態から非結合状態に切り替わる。非結合状態に切り替わる指は、利用可能な指に追加してもよい。したがって、調節は、利用可能な指の合計数を変化させることができる。いくつかの指をある期間非結合状態にしてもよい。一実施の形態に従って、長期間非結合状態にあった指は、解放のための最初の候補として選択してもよい。指が解放されると、利用可能な指の合計数に追加してもよい。
【００２１】
ＣＤＭＡ標準に従って、受信器１００のような受信器は、それらの利用可能性および受信器１００における適切な信号を供給する成功に従って優先順位がつけられる基地局のセットのリストを保持する。基地局のセットは、一般にアクティブセット、候補セット、および隣接セットと呼ばれる。各セットは、通信システム内の移動局と通信するための基地局のセットを識別する。アクティブセットは移動局と通信するために割当てられた基地局のセットを識別する。候補セットは、移動局と通信するために適した移動局において、十分なパイロット信号強度を有する基地局のセットを識別する。アクティブセットには候補セットが除外される。接セットは、移動局と通信が可能な基地局のセットを識別する。隣接セットには、アクティブセットおよび候補セットが除外される。
【００２２】
個々にまたは組み合わせてパイロットサーチウインドウしきい値、ロック／アンロックしきい値および結合／非結合しきい値を調節することにより、少なくとも１つの基地局は、一実施の形態に従って、基地局のアクティブセット、候補セット、および隣接セットの中で一方のセットから他方のセットへ移動してもよい。しきい値のいずれか一つを調節した後、基地局は他のセットの基準をより良く満たすことができる。例えば、パイロット信号サーチウインドウしきい値を調節した後、基地局はアクティブセットにいることに適さないかもしれない。それゆえ、基地局は、アクティブセットから、例えば、候補セットのようなより適したセットに移動される。基地局がアクティブセットから候補セットに移動されると、基地局からの信号に割当てられた指を解放してもよく、利用可能な指の合計数に追加してもよい。
【００２３】
図５を参照すると、種々の実施の形態に従って、パイロット信号サーチ動作、ロック／アンロック動作、および結合／非結合動作を含む、受信器１００の動作の各々は加算しきい値および降下しきい値の使用を含んでいても良い。例えば、パイロット信号サーチウインドウしきい値の場合に、比較器２０４において受信したパイロット信号エネルギーが加算しきい値５０１より上を移動するごとに、パイロット信号エネルギーはしきい値を満足する。さらに、比較器２０４において受信したパイロット信号エネルギーが降下しきい値５０２を下回って降下すると、パイロット信号エネルギーはしきい値を満足しなくなる。他の例において、ロック／アンロックしきい値の場合に、パイロット信号エネルギーが加算しきい値５０１を上回って移動すると、ロック／アンロックインジケータはロック状態を示す。同様に、パイロット信号エネルギーが降下しきい値５０２を下回って降下すると、ロック／アンロックインジケータはアンロック状態を示す。他の例において、結合／非結合しきい値の場合に、パイロット信号エネルギーが加算しきい値５０１を上回って移動すると、結合／非結合インジケータは結合条件を示す。同様に、パイロット信号エネルギーが降下しきい値５０２を下回って降下すると、結合／非結合インジケータは非結合状態を示す。さらに、通信システム内の基地局のアクティブセット、候補セット、および隣接セットを決定するための動作は加算しきい値５０１および降下しきい値５０２の使用を含んでも良い。そういうものとして、ヒステリシスが、プロセスの安定性のために作られる。パイロット信号サーチウインドウしきい値、ロック／アンロックしきい値、および結合／非結合しきい値は各々対応する加算しきい値および対応する降下しきい値を持つようにしてもよい。種々の実施の形態に従って、しきい値が調節されると、そのしきい値は、対応する加算しきい値５０１または対応する降下しきい値５０２またはその両方であってよい。
【００２４】
好適実施の形態の上述の記載は、当業者がこの発明を製作または使用を可能にするために提供される。これらの実施の形態に対する種々の変形例は当業者には容易に明白であろう、そしてここに定義される包括的原理は発明力の使用なしに他の実施の形態に適用可能である。従って、この発明は、ここに示した実施の形態に限定することを意図したものではなく、ここに開示した原理および新規な特徴に一致する最も広い範囲が許容されるべきである。
【図面の簡単な説明】
【００２５】
【図１】図１は通信システム受信器のブロック図を描写する。
【図２】図２は、パイロット信号をサーチするためのサーチャーのブロック図を描写する。
【図３】図３は受信した信号を復調するための指のブロック図を描写する。
【図４】図４は指リソースの利用可能な数を決定するための指リソースのステータスのフローチャートを描写する。
【図５】図５は指のステータスを変更するためのヒステリシス効果を供給するために加算しきい値および降下しきい値の関係を描写する。
【図１】
2005503683.tif 000003
【図２】
2005503683.tif 000004
【図３】
2005503683.tif 000005
【図４】
2005503683.tif 000006
【図５】
2005503683.tif 000007
【国際公開パンフレット】
2005503683.tif 000008
2005503683.tif 000009
2005503683.tif 000010
2005503683.tif 000011
2005503683.tif 000012
2005503683.tif 000013
2005503683.tif 000014
2005503683.tif 000015
2005503683.tif 000016
2005503683.tif 000017
2005503683.tif 000018
2005503683.tif 000019
2005503683.tif 000020
2005503683.tif 000021
2005503683.tif 000022
2005503683.tif 000023
2005503683.tif 000024
2005503683.tif 000025
2005503683.tif 000026
2005503683.tif 000027
2005503683.tif 000028
2005503683.tif 000029
2005503683.tif 000030
2005503683.tif 000031
2005503683.tif 000032
2005503683.tif 000033
【国際公開パンフレット（コレクトバージョン）】
2005503683.tif 000034
【国際調査報告】
2005503683.tif 000035
2005503683.tif 000036